(57)【要約】【課題】  インダクタンス偏差を抑えて、画面全体の輝度差を許容値以下にするとともに、画面中央部での輝度上昇を実現することができるプラズマディスプレイ装置を提供する。【解決手段】  プラズマディスプレイ装置において、プラズマディスプレイパネルのＸ／Ｙ電極とＸ／Ｙ電極駆動回路との間を接続する接続手段を有し、この接続手段の、プリント基板６１上のＸ電極パターン６５、プリント基板７１上のＹ電極パターン７５は、Ｘ電極駆動回路２０またはＹ電極駆動回路３０との間で、プラズマディスプレイパネル１０の中央部の電極とを接続する電流経路長が、周辺部の電極とを接続する電流経路長より長い。プラズマディスプレイパネル１０側の電流経路は、プラズマディスプレイパネル１０の周辺部の上部または下部で折り返したＵ字形状からなり、最初に上部または下部の電極に接続し、上部または下部を経由して中央部の電極の方向に順次接続する。【選択図】  図２
2006317767.tif 000002
【特許請求の範囲】
【請求項１】
プラズマディスプレイパネルと、前記プラズマディスプレイパネルの複数のＸ電極を駆動するＸ電極駆動回路と、前記プラズマディスプレイパネルの複数のＹ電極を駆動するＹ電極駆動回路と、前記プラズマディスプレイパネルの複数のアドレス電極を駆動するアドレス電極駆動回路とを備えたプラズマディスプレイ装置であって、
前記プラズマディスプレイパネルの各Ｘ電極と前記Ｘ電極駆動回路との間、前記プラズマディスプレイパネルの各Ｙ電極と前記Ｙ電極駆動回路との間をそれぞれ接続する接続手段を有し、
前記接続手段は、前記Ｘ電極駆動回路または前記Ｙ電極駆動回路との間で、前記プラズマディスプレイパネルの中央部の電極とを接続する電流経路長が、前記プラズマディスプレイパネルの周辺部の電極とを接続する電流経路長より長いことを特徴とするプラズマディスプレイ装置。
【請求項２】
請求項１記載のプラズマディスプレイ装置において、
前記接続手段の前記プラズマディスプレイパネル側の電流経路は、前記プラズマディスプレイパネルの周辺部の上部または下部でそれぞれ折り返したＵ字形状からなり、
最初に前記プラズマディスプレイパネルの上部または下部の電極に接続し、前記上部または下部を経由して前記プラズマディスプレイパネルの中央部の電極の方向に順次接続することを特徴とするプラズマディスプレイ装置。
【請求項３】
請求項２記載のプラズマディスプレイ装置において、
前記プラズマディスプレイパネルの上部を経由してきた第１の電流経路と、前記プラズマディスプレイパネルの下部を経由してきた第２の電流経路とを、前記プラズマディスプレイパネルの中央部の電極付近で導通させることを特徴とするプラズマディスプレイ装置。
【請求項４】
請求項２または３記載のプラズマディスプレイ装置において、
前記折り返したＵ字形状となる一対の電流経路を電磁誘導が発生する距離まで接近させて配置することを特徴とするプラズマディスプレイ装置。
【請求項５】
請求項２〜４のいずれか１項記載のプラズマディスプレイ装置において、
前記折り返したＵ字形状の前記プラズマディスプレイパネル側の接続部は、前記プラズマディスプレイパネル上に配置した複数のＸ電極を前記プラズマディスプレイパネルの端面部で接続した共通電極部で代用することを特徴とするプラズマディスプレイ装置。
【請求項６】
請求項４記載のプラズマディスプレイ装置において、
前記一対の電流経路を接近させて配置する手法は、導体上にスリット状に切り込みを入れて平行配置する手法であることを特徴とするプラズマディスプレイ装置。
【請求項７】
請求項４記載のプラズマディスプレイ装置において、
前記一対の電流経路を接近させて配置する手法は、多層基板の隣接層を用いる手法であることを特徴とするプラズマディスプレイ装置。
【請求項８】
請求項４記載のプラズマディスプレイ装置において、
前記一対の電流経路を接近させて配置する手法は、異種基板を張り合わせて構成する手法であることを特徴とするプラズマディスプレイ装置。
【請求項９】
請求項３記載のプラズマディスプレイ装置において、
前記第１の電流経路と前記第２の電流経路とを導通させる手段は、導体、半導体素子、または、容量などの高周波領域で導通する素子であることを特徴とするプラズマディスプレイ装置。
【請求項１０】
請求項２〜９のいずれか１項記載のプラズマディスプレイ装置において、
前記接続手段と前記複数のＸ電極またはＹ電極とは、それぞれ半導体素子で導通する構成であることを特徴とするプラズマディスプレイ装置。
【発明の詳細な説明】
【技術分野】
【０００１】
本発明は、プラズマディスプレイ装置の技術に関し、特に、プラズマディスプレイパネルのＸ／Ｙ電極とＸ／Ｙ電極駆動回路との間の接続構造に適用して有効な技術に関する。
【背景技術】
【０００２】
たとえば、従来のプラズマディスプレイ装置は、図１２に示すように、プラズマディスプレイパネル１１０と、このプラズマディスプレイパネル１１０の、複数のＸ電極を駆動するＸ電極駆動回路１２０、複数のＹ電極を駆動するＹ電極駆動回路１３０、複数のアドレス電極を駆動するアドレス電極駆動回路１４０や、複数のＹ電極を走査するスキャン回路１５０などから構成される。このような構成において、プラズマディスプレイパネル１１０の、各Ｘ電極とＸ電極駆動回路１２０との間、各Ｙ電極とＹ電極駆動回路１３０との間は、それぞれプリント基板やフレキシブル基板などの接続手段１６０，１７０を通じて電気的に接続されている。
【０００３】
たとえば、図１３に示すように、プラズマディスプレイパネル１１０の各Ｘ電極とＸ電極駆動回路１２０との間の接続を考えると、Ｘ電極駆動回路１２０からプリント基板１６１とフレキシブル基板１６２を通じてプラズマディスプレイパネル１１０の各Ｘ電極に接続される。Ｘ電極駆動回路１２０とプリント基板１６１との間、プリント基板１６１とフレキシブル基板１６２との間はそれぞれコネクタ１６３，１６４で接続され、フレキシブル基板１６２の導体部とプラズマディスプレイパネル１１０の各Ｘ電極との間は熱圧着などにより接続されている。また、プリント基板１６１には、コネクタ１６３とコネクタ１６４との間を接続するＸ電極パターン１６５が形成されている。
【０００４】
なお、このようなプラズマディスプレイ装置において、画面の各領域間の輝度差に着目した技術としては、たとえば特許文献１に記載される技術などが挙げられる。
【特許文献１】特開２０００−２８４７４７号公報
【発明の開示】
【発明が解決しようとする課題】
【０００５】
ところで、前記のようなプラズマディスプレイ装置においては、Ｘ電極駆動回路またはＹ電極駆動回路からプラズマディスプレイパネルまではプリント基板やフレキシブル基板などを通じて電気的に接続されているが、この物理的な電流経路の配線長差によりインダクタンス偏差を生じ、画面全面の均一表示にて輝度差が目立つ現象が生じる。特に、プラズマディスプレイパネルの大画面化では顕著な傾向となる。
【０００６】
たとえば、前述した図１３のような接続形態を考えると、図１４に示すように、Ｘ電極駆動回路１２０とプラズマディスプレイパネル１１０との間（中央部から上部まで）の接続において、Ｘ電極駆動回路（ａ）とプラズマディスプレイパネルの中央部の電極（ｂ）までの電流経路におけるインダクタンスがＬ０、中央部の電極（ｂ）から上部の電極（ｃ）までの電流経路におけるインダクタンスがＬ１となる。
【０００７】
この場合の等価回路は、図１５に示すように、電源（Ｖｓ，Ｖｓ／２）、電力低減コイル、スイッチ（ＳＷ１〜３）、寄生インダクタンス（Ｌ０，Ｌ１）などを接続した回路構成で表すことができ、（ａ）点はＳＷ１とＳＷ２とＳＷ３とＬ０との接続点、（ｂ）点はＬ０とＬ１との接続点、（ｃ）点はＬ１の開放点に対応する。各（ａ）（ｂ）（ｃ）点の駆動波形は、図１６のようになり、（ａ）点での駆動波形（Ｖｓ）に対して（ｂ）点ではオーバーシュート、アンダーシュートが発生し、さらに（ｃ）点では（ｂ）点を超えるオーバーシュート、アンダーシュートの電圧が生じる。
【０００８】
このような寄生インダクタンスの分布は、輝度分布の現象としても捉えることができる。この現象をプラズマディスプレイパネル１１０の全面について考えると、図１７の寄生インダクタンス分布（ａ）と輝度分布（ｂ）に示すように、プラズマディスプレイパネル１１０の中央部ではＬ０に対応する輝度となり、一方、プラズマディスプレイパネル１１０の上部および下部ではＬ０＋Ｌ１に対応する輝度となり、中央部と上部および下部とではＬ１分の偏差に対応する輝度差が生じ、プラズマディスプレイパネル１１０の大画面化の傾向ではこの輝度差を許容値以下に抑えることが望まれている。
【０００９】
特に、プラズマディスプレイパネルの大画面化に伴い、Ｘ電極およびＹ電極用のフレキシブル基板を分離化する場合にはさらに工夫が必要となる。このフレキシブル基板の分離化を推進するにあたり、共通インピーダンスの離散化によるインダクタンス偏差が原因で、輝度差が生じやすい状況となっている。たとえば、フレキシブル基板の離散接続の場合は、図１８の寄生インダクタンス分布（ａ）と輝度分布（ｂ）に示すような輝度分布となる（輝度分布における破線は前記図１７（ｂ））。
【００１０】
また、プラズマディスプレイパネルの上部および下部にいくほど寄生インダクタンスが増加する。このため、寄生インダクタンスとパネルの容量で発生する共振電圧が上部および下部にいくほど大きくなる。この結果、プラズマディスプレイパネルの中央部に比べて上部および下部の輝度比率が高くなるという問題が生じている。
【００１１】
なお、前記特許文献１の技術は、画面の各領域間の輝度差に着目した技術ではあるが、プラズマディスプレイパネルのＸ／Ｙ電極とＸ／Ｙ電極駆動回路との間の接続構造については記載されていない。
【００１２】
そこで、本発明の目的は、前記のような問題点を解決すべく、インダクタンス偏差を抑えて、画面全体の輝度差を許容値以下にするとともに、画面中央部での輝度上昇を実現することができるプラズマディスプレイ装置を提供することにある。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次のとおりである。
【００１５】
本発明のプラズマディスプレイ装置は、プラズマディスプレイパネルの各Ｘ電極とＸ電極駆動回路との間、プラズマディスプレイパネルの各Ｙ電極とＹ電極駆動回路との間をそれぞれ接続する接続手段を有し、以下のような特徴を有するものである。
【００１６】
（１）接続手段は、Ｘ電極駆動回路またはＹ電極駆動回路との間で、プラズマディスプレイパネルの中央部の電極とを接続する電流経路長が、プラズマディスプレイパネルの周辺部の電極とを接続する電流経路長より長い。
【００１７】
（２）接続手段のプラズマディスプレイパネル側の電流経路は、プラズマディスプレイパネルの周辺部の上部または下部でそれぞれ折り返したＵ字形状からなり、最初にプラズマディスプレイパネルの上部または下部の電極に接続し、上部または下部を経由してプラズマディスプレイパネルの中央部の電極の方向に順次接続する。
【００１８】
（３）プラズマディスプレイパネルの上部を経由してきた第１の電流経路と、プラズマディスプレイパネルの下部を経由してきた第２の電流経路とを、プラズマディスプレイパネルの中央部の電極付近で導通させる。この第１の電流経路と第２の電流経路とを導通させる手段は、導体、半導体素子、または、容量などの高周波領域で導通する素子である。
【００１９】
（４）折り返したＵ字形状となる一対の電流経路を電磁誘導が発生する距離まで接近させて配置する。この一対の電流経路を接近させて配置する手法は、導体上にスリット状に切り込みを入れて平行配置する手法、多層基板の隣接層を用いる手法、あるいは、異種基板を張り合わせて構成する手法である。
【００２０】
（５）折り返したＵ字形状のプラズマディスプレイパネル側の接続部は、プラズマディスプレイパネル上に配置した複数のＸ電極をプラズマディスプレイパネルの端面部で接続した共通電極部で代用する。
【００２１】
（６）接続手段と複数のＸ電極またはＹ電極とは、それぞれ半導体素子で導通する構成である。
【発明の効果】
【００２２】
本願において開示される発明のうち、代表的なものによって得られる効果を簡単に説明すれば以下のとおりである。
【００２３】
本発明によれば、インダクタンス偏差を抑えて、画面全体の輝度差を許容値以下にするとともに、画面中央部での輝度上昇を実現することができるプラズマディスプレイ装置を提供することが可能となる。
【発明を実施するための最良の形態】
【００２４】
以下、本発明の実施の形態を図面に基づいて詳細に説明する。なお、実施の形態を説明するための全図において、同一の部材には原則として同一の符号を付し、その繰り返しの説明は省略する。
【００２５】
まず、図１により、本発明の一実施の形態のプラズマディスプレイ装置の構成の一例を説明する。図１は、プラズマディスプレイ装置の概略構成を示す。
【００２６】
本実施の形態のプラズマディスプレイ装置は、プラズマディスプレイパネル１０と、プラズマディスプレイパネル１０の複数のＸ電極を駆動するＸ電極駆動回路２０と、プラズマディスプレイパネル１０の複数のＹ電極を駆動するＹ電極駆動回路３０と、プラズマディスプレイパネル１０の複数のアドレス電極を駆動するアドレス電極駆動回路４０と、プラズマディスプレイパネル１０の複数のＹ電極を走査するスキャン回路５０などから構成される。このような構成において、プラズマディスプレイパネル１０の、各Ｘ電極とＸ電極駆動回路２０との間、各Ｙ電極とＹ電極駆動回路３０との間は、それぞれプリント基板やフレキシブル基板などの接続手段６０，７０を通じて電気的に接続されている。
【００２７】
このように構成されるプラズマディスプレイ装置において、プラズマディスプレイパネル１０には、平行に配置されたＸ電極およびＹ電極が形成され、それらに直行するようにアドレス電極が形成されている。Ｘ電極とＹ電極とは、主に表示発光を行うための維持放電を実施する電極である。このＸ電極とＹ電極との間に、繰り返し電圧パルスを印加することで維持放電を行う。さらに、Ｙ電極は表示データを書き込む際の走査用電極としても機能する。一方、アドレス電極は発光させる放電セルを選択するための電極であり、Ｙ電極とアドレス電極との間に、放電セルを選択するための書き込み放電を行う電圧を印加する。
【００２８】
プラズマディスプレイパネル１０の放電は、オンまたはオフの２値の状態しかとれないために、発光の回数で明るさの濃淡、つまり階調を表現している。そのために、フレームを複数のサブフィールドに分割する。各サブフィールドは、リセット期間、アドレス期間、維持放電期間（サステイン期間）により構成される。リセット期間においては、前のサブフィールドでの点灯状態に関わらずに全ての放電セルを初期状態、たとえば壁電荷を消去した状態にするための操作が実行される。アドレス期間においては、表示データに応じて放電セルのオンやオフの状態を決めるために、選択的な放電（アドレス放電）が行われ、放電セルをオン状態とする壁電荷が選択的に形成される。維持放電期間においては、アドレス放電により壁電荷が形成された放電セルで放電を繰り返し、所定の光を発光する。このような駆動は、Ｘ電極駆動回路２０、Ｙ電極駆動回路３０、アドレス電極駆動回路４０、およびスキャン回路５０で制御される。
【００２９】
次に、図２により、プラズマディスプレイパネルとＸ電極駆動回路およびＹ電極駆動回路との間の接続形態の一例を説明する。図２は、プラズマディスプレイパネルとＸ電極駆動回路およびＹ電極駆動回路との間の接続形態を示す。
【００３０】
プラズマディスプレイパネル１０の各Ｘ電極（ｘ１〜ｘｎ）とＸ電極駆動回路２０との間は、Ｘ電極駆動回路２０からプリント基板６１とフレキシブル基板６２を通じてプラズマディスプレイパネル１０の各Ｘ電極に接続される。Ｘ電極駆動回路２０とプリント基板６１との間、プリント基板６１とフレキシブル基板６２との間はそれぞれコネクタ６３，６４で接続され、フレキシブル基板６２の導体部とプラズマディスプレイパネル１０の各Ｘ電極との間は熱圧着などにより接続されている。また、プリント基板６１には、コネクタ６３とコネクタ６４との間を接続するＸ電極パターン６５が形成されている。
【００３１】
特に、Ｘ電極パターン６５は、Ｘ電極駆動回路２０との間で、プラズマディスプレイパネル１０の、中央部の電極とを接続する電流経路長が、周辺部の電極とを接続する電流経路長より長い構成となっている。具体的には、このＸ電極パターン６５による電流経路が、プラズマディスプレイパネル１０の周辺部の上部（または下部：図３に図示）でそれぞれ折り返したＵ字形状からなり、最初に上部（または下部）の電極に接続し、上部（または下部）を経由して中央部の電極の方向に順次接続する形態となっている。そのために、Ｘ電極パターン６５は、このＸ電極パターン６５の導体上にスリット状の切り込み６６を入れて、さらに折り返したＵ字形状となる一対の電流経路を電磁誘導が発生する距離まで接近させて平行に配置している。すなわち、スリット状の切り込み６６は、この切り込み６６の左右の導体部が電磁誘導の発生する距離まで接近して形成されている。
【００３２】
一方、プラズマディスプレイパネル１０の各Ｙ電極（ｙ１〜ｙｎ）とＹ電極駆動回路３０との間も、プラズマディスプレイパネル１０の各Ｘ電極とＸ電極駆動回路２０との間の接続と同様に、Ｙ電極駆動回路３０からプリント基板７１とフレキシブル基板７２を通じてプラズマディスプレイパネル１０の各Ｙ電極に接続される。Ｙ電極駆動回路３０とプリント基板７１との間、プリント基板７１とフレキシブル基板７２との間はそれぞれコネクタ７３，７４で接続され、フレキシブル基板７２の導体部とプラズマディスプレイパネル１０の各Ｙ電極との間は熱圧着などにより接続されている。また、プリント基板７１には、Ｘ電極側のプリント基板６１と一部異なり、スキャン回路５０が搭載され、コネクタ７３とスキャン回路５０との間を接続するＹ電極パターン７５が形成され、さらに、スキャン回路５０とコネクタ７４との間を接続する配線パターン７７が形成されている。
【００３３】
特に、Ｙ電極パターン７５も、Ｘ電極パターン６５と同様に、Ｙ電極駆動回路３０との間で、プラズマディスプレイパネル１０の、中央部の電極とを接続する電流経路長が、周辺部の電極とを接続する電流経路長より長い構成となっている。具体的には、このＹ電極パターン７５による電流経路が、プラズマディスプレイパネル１０の周辺部の上部（または下部）でそれぞれ折り返したＵ字形状からなり、最初に上部（または下部）の電極に接続し、上部（または下部）を経由して中央部の電極の方向に順次接続する形態となっている。そのために、Ｙ電極パターン７５は、このＹ電極パターン７５の導体上にスリット状の切り込み７６を入れて、さらに、このスリット状の切り込み７６は、この切り込み７６の左右の導体部が電磁誘導の発生する距離まで接近して形成されている。
【００３４】
次に、図３により、プラズマディスプレイパネルとＸ電極駆動回路との間の接続形態において、プラズマディスプレイパネルの、上部を経由してきた電流経路と下部を経由してきた電流経路とを中央部の電極付近で導通させる場合の一例を説明する。図３は、プラズマディスプレイパネルの、上部を経由してきた電流経路と下部を経由してきた電流経路とを中央部の電極付近で導通させる場合の接続形態を示す。
【００３５】
プリント基板６１は、上部用のプリント基板６１ａと下部用のプリント基板６１ｂとに分離され、プラズマディスプレイパネル１０の上部を経由してきた第１の電流経路であるＸ電極パターン６５ａは上部用のプリント基板６１ａに形成され、プラズマディスプレイパネル１０の下部を経由してきた第２の電流経路であるＸ電極パターン６５ｂは下部用のプリント基板６１ｂに形成されている。
【００３６】
この上部用のプリント基板６１ａに形成されたＸ電極パターン６５ａ、下部用のプリント基板６１ｂに形成されたＸ電極パターン６５ｂにおいては、前記図２と同様にそれぞれにスリット状の切り込み６６ａ，６６ｂが形成され、プラズマディスプレイパネル１０の上部を経由してきたＸ電極パターン６５ａの導体部と、プラズマディスプレイパネル１０の下部を経由してきたＸ電極パターン６５ｂの導体部とは、コネクタ６７を通じてプラズマディスプレイパネル１０の中央部の電極付近で導通されている。この導通する部品は、コネクタ６７以外に、他の導体や、半導体素子、または、容量などの高周波領域で導通する素子などにも適用可能である。
【００３７】
たとえば、プラズマディスプレイパネル１０が大画面となった場合、プリント基板６１が１枚で構成できないケースが考えられ、上部／下部に２分割する必要がある。この場合、中央部を接続する手段として、コネクタ、金属金具などの導体で単に接続する場合がある。また、後述するように、Ｘ電極駆動回路２０、Ｙ電極駆動回路３０が上部／下部に分割され、サステイン期間以外で別動作する場合に、サステイン期間は接続の必要があり、その場合に半導体素子や高周波領域で導通するコンデンサなどを使用する。
【００３８】
なお、図示しないが、プラズマディスプレイパネル１０とＹ電極駆動回路３０との間の接続形態においても同様に、プラズマディスプレイパネル１０の上部を経由してきた第１の電流経路であるＹ電極パターンの導体部と、プラズマディスプレイパネル１０の下部を経由してきた第２の電流経路であるＹ電極パターンの導体部とは、コネクタを通じてプラズマディスプレイパネル１０の中央部の電極付近で導通されている。
【００３９】
次に、図４，図５により、プラズマディスプレイパネルとＸ電極駆動回路との間の接続形態において、折り返したＵ字形状となる一対の電流経路を接近させて配置する場合の他の一例を説明する。図４は、多層基板の隣接層を用いて一対の電流経路を接近させて配置する場合の接続形態を示す。図５は、異種基板を張り合わせて構成して一対の電流経路を接近させて配置する場合の接続形態を示す。
【００４０】
図４において、プリント基板６１ｃは、複数層の多層基板からなり、表面の第１層にＸ電極駆動回路２０用のコネクタ６３、フレキシブル基板６２用のコネクタ６４とともに、一対の電流経路を構成する一方のＸ電極パターン６５ｃが絶縁基材上に形成され、第２層に他方のＸ電極パターン６５ｄが絶縁基材上に形成され、この第１層と第２層とのＸ電極パターン６５ｃ，６５ｄが一部分でスルーホール６８を通じて接続されている。これにより、プリント基板６１ｃの第１層と第２層との隣接層において、折り返したＵ字形状となる一対の電流経路が接近して配置された構造となる。
【００４１】
図５においては、フレキシブル基板６２ａとプリント基板６１ｄとの異種基板の張り合わせ構造からなり、プラズマディスプレイパネル１０のＸ電極に接続されるフレキシブル基板６２ａに、一対の電流経路を構成する一方のＸ電極パターン６５ｅが形成され、Ｘ電極駆動回路２０用のコネクタ６３が搭載されるプリント基板６１ｄに他方のＸ電極パターン６５ｆが絶縁基材上に形成され、このフレキシブル基板６２ａとプリント基板６１ｄとのＸ電極パターン６５ｅ，６５ｆが一部分で導通用ランド６８ａに充填されたはんだなどの導電材を通じて接続されている。これにより、フレキシブル基板６２ａとプリント基板６１ｄとの異種基板の張り合わせ構造において、折り返したＵ字形状となる一対の電流経路が接近して配置された構造となる。
【００４２】
なお、図示しないが、プラズマディスプレイパネル１０とＹ電極駆動回路３０との間の接続形態においても同様に、プリント基板の第１層と第２層との隣接層や、フレキシブル基板とプリント基板との異種基板の張り合わせ構造において、折り返したＵ字形状となる一対の電流経路が接近して配置された構造となっている。
【００４３】
次に、図６により、プラズマディスプレイパネルとＸ電極駆動回路との間の接続形態において、折り返したＵ字形状のプラズマディスプレイパネル側の接続部をプラズマディスプレイパネルの端面部で接続した共通電極部で代用する場合の一例を説明する。図６は、折り返したＵ字形状のプラズマディスプレイパネル側の接続部をプラズマディスプレイパネルの端面部で接続した共通電極部で代用する場合の接続形態を示す。
【００４４】
プラズマディスプレイパネル１０には、複数のＸ電極をプラズマディスプレイパネル１０の端面部で接続した共通電極部１１が設けられており、この共通電極部１１が折り返したＵ字形状のプラズマディスプレイパネル１０側の接続部に代用されている。これにより、プリント基板６１ｅにスリット状の切り込みなどを入れることなく、フレキシブル基板６２ｂでプラズマディスプレイパネル１０上の共通電極部１１とプリント基板６１ｅ上のＸ電極パターン６５ｇとを接続し、折り返したＵ字形状となる一対の電流経路を構成することができる。この場合にも、一対の電流経路は接近して配置されることが望ましい。
【００４５】
次に、図７により、プラズマディスプレイパネルの、Ｘ電極を駆動するＸ電極駆動回路およびＹ電極を駆動するＹ電極駆動回路を、複数に分離する場合の一例を説明する。図７は、複数に分離する場合の一例として、奇数／偶数の分離構成によるプラズマディスプレイパネルとＸ電極駆動回路およびＹ電極駆動回路との間の接続形態を示す。
【００４６】
プラズマディスプレイパネル１０の複数のＸ電極、複数のＹ電極をそれぞれ奇数番号の電極（ｘ１，ｘ３，…，ｘｎ−１、ｙ１，ｙ３，…，ｙｎ−１）と偶数番号の電極（ｘ２，ｘ４，…，ｘｎ、ｙ２，ｙ４，…，ｙｎ）とに分離して駆動する構成においては、奇数番号用と偶数番号用との２つずつのＸ電極駆動回路２０ａ，２０ｂ、Ｙ電極駆動回路３０ａ，３０ｂが設けられている。さらに、プリント基板６１ｆ，７１ａにおいても、Ｘ電極パターン６５、Ｙ電極パターン７５が、奇数番号用と偶数番号用との分離されて異なる層に形成されている。たとえば、図７では、奇数番号用のＸ電極パターン６５ｈ、Ｙ電極パターン７５ａが表面（実線で表示）に形成され、偶数番号用のＸ電極パターン６５ｉ、Ｙ電極パターン７５ｂが裏面（破線で表示）に形成されている。
【００４７】
同様に、フレキシブル基板６２ｃ，７２ａにおいても、奇数番号用の配線パターンが表面（実線で表示）に形成され、偶数番号用の配線パターンが裏面（破線で表示）に形成されている。
【００４８】
この構成においても、Ｘ電極パターン６５ｈ，６５ｉ、Ｙ電極パターン７５ａ，７５ｂは、前記図２と同様に、Ｘ電極パターン６５ｈ，６５ｉによる電流経路、Ｙ電極パターン７５ａ，７５ｂによる電流経路が、プラズマディスプレイパネル１０の周辺部でそれぞれ折り返したＵ字形状からなり、そのために、Ｘ電極パターン６５ｈ，６５ｉ、Ｙ電極パターン７５ａ，７５ｂは、各電極パターンの導体上にスリット状の切り込み６６ｃ，６６ｄ，７６ａ，７６ｂを入れて、この切り込み６６ｃ，６６ｄ，７６ａ，７６ｂの左右の導体部が電磁誘導の発生する距離まで接近して形成されている。
【００４９】
次に、図８により、プラズマディスプレイパネルとＸ電極駆動回路との間の接続形態において、Ｘ電極駆動回路の出力部を上部用と下部用とに分離し、プラズマディスプレイパネルの、上部を経由してきた電流経路と下部を経由してきた電流経路とを中央部の電極付近で導通させる場合の一例を説明する。図８は、Ｘ電極駆動回路の出力部の上部用／下部用の分離構成による上部を経由してきた電流経路と下部を経由してきた電流経路とを中央部の電極付近で導通させる場合の接続形態を示す。
【００５０】
Ｘ電極駆動回路２０ｃの出力部を上部用と下部用とに分離して駆動する構成においては、プリント基板６１ｇのＸ電極パターン６５が、上部用と下部用との分離されて形成されている。この構成においても、上部用のＸ電極パターン６５ｊ、下部用のＸ電極パターン６５ｋは、各電極パターンの導体上にスリット状の切り込み６６ｅ，６６ｆを入れて、この切り込み６６ｅ，６６ｆの左右の導体部が電磁誘導の発生する距離まで接近して形成されている。さらに、上部用のＸ電極パターン６５ｊの導体部と、下部用のＸ電極パターン６５ｋの導体部とは、半導体素子６９を通じてプラズマディスプレイパネル１０の中央部の電極付近で導通されている。
【００５１】
なお、図示しないが、プラズマディスプレイパネル１０とＹ電極駆動回路３０との間の接続形態においても同様に、上部用のＹ電極パターンの導体部と、下部用のＹ電極パターンの導体部とは、半導体素子を通じてプラズマディスプレイパネル１０の中央部の電極付近で導通されている。
【００５２】
以上説明した本実施の形態のプラズマディスプレイ装置によれば、図９〜図１１に示すような効果を得ることができる。図９は、Ｘ電極パターンによる電流経路（Ｙ電極パターンによる電流経路も同様）を、プラズマディスプレイパネルの周辺部で折り返したＵ字形状とした場合の寄生インダクタンス分布（ａ）と輝度分布（ｂ）を示す。図１０は、折り返したＵ字形状となる一対の電流経路を電磁誘導が発生する距離まで接近させて平行に配置した場合の寄生インダクタンス分布（ａ）と輝度分布（ｂ）を示す。図１１は、フレキシブル基板を離散接続した場合の寄生インダクタンス分布（ａ）と輝度分布（ｂ）を示す。
【００５３】
図９に示すように、Ｘ電極パターンによる電流経路（Ｙ電極パターンによる電流経路も同様）を、プラズマディスプレイパネル１０の周辺部で折り返したＵ字形状とした場合、寄生インダクタンス分布に起因する輝度分布は、プラズマディスプレイパネル１０の中央部ではＬ０＋Ｌ１に対応する輝度となり、一方、プラズマディスプレイパネル１０の上部および下部ではＬ０＋０．７５×Ｌ１に対応する輝度となり、中央部と上部および下部とでは０．２５×Ｌ１分の偏差に対応する輝度差に抑えることができる。この輝度分布を従来の構成による図１７と比較すると、プラズマディスプレイパネル１０の中央部での輝度をＬ０からＬ０＋Ｌ１に大きくし、プラズマディスプレイパネル１０の上部および下部での輝度をＬ０＋Ｌ１からＬ０＋０．７５×Ｌ１に小さくし、結果的に、中央部と上部および下部とでの輝度の偏差をＬ１から０．２５×Ｌ１に抑えることができる。
【００５４】
なお、０．７５と０．２５の各値の根拠は以下の通りである。すなわち、Ｘ電極駆動回路２０、Ｙ電極駆動回路３０から見たインダクタンス分は、上部／下部に分かれる分岐点からそれぞれ上部、下部を通り、中央部までで見た場合、上部は行って帰ってなのでＬ１の２倍の長さ（Ｌ１×２）のインダクタンスとなり、同様に下部を通ってきたインダクタンス（Ｌ１×２）との合成インダクタンスとなり、Ｌ１×２の１／２でＬ１となる。次に、上部／下部に分かれた分岐点から上部端までを見た場合、最短経路のインダクタンス（Ｌ１）と下部を通ってきたインダクタンス（Ｌ１×３）の合成インダクタンスとなり、Ｌ１×（３×Ｌ１）／（Ｌ１＋（３×Ｌ１））＝０．７５×Ｌ１となる。従って、中央部と上部／下部との偏差はＬ１−０．７５×Ｌ１＝０．２５×Ｌ１となる。
【００５５】
図１０に示すように、折り返したＵ字形状となる一対の電流経路を電磁誘導が発生する距離まで接近させて平行に配置した場合は、単に折り返したＵ字形状とした場合に比べて、さらに、プラズマディスプレイパネル１０の中央部での輝度をＬ０＋Ｌ１からＬ１を小さくし、プラズマディスプレイパネル１０の上部および下部での輝度をＬ０＋０．７５×Ｌ１から０．７５×Ｌ１を小さくし、結果的に、中央部と上部および下部とでの輝度の偏差を０．２５×Ｌ１から低減することができる。この理由は、電流経路における同位相、双方向電流の近接配置により、接続手段６０（７０）のインダクタンスが低減できるので、画面の中央部／上下部間の輝度偏差の低減に結びつくようになる。
【００５６】
図１１に示すように、フレキシブル基板を離散接続した場合は、従来の構成による図１８と比較すると、プラズマディスプレイパネル１０の中央部での輝度をＬ０からＬ０＋Ｌ１に大きくし、プラズマディスプレイパネル１０の上部および下部での輝度をＬ０＋Ｌ１からＬ０＋０．７５×Ｌ１に小さくし、結果的に、中央部と上部および下部とでの輝度の偏差を改善することができる（輝度分布における破線は前記図９（ｂ））。
【００５７】
従って、本実施の形態のプラズマディスプレイ装置によれば、インダクタンス偏差を抑えて、画面全体の輝度差を許容値以下にするとともに、画面中央部での輝度上昇を実現することができる。特に、プラズマディスプレイパネル１０の大画面化に伴い、Ｘ電極およびＹ電極用のフレキシブル基板を分離化する場合にはさらに良好となる。
【００５８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５９】
本発明は、プラズマディスプレイ装置の技術に関し、プラズマディスプレイパネルのＸ／Ｙ電極とＸ／Ｙ電極駆動回路との間の接続構造に適用し、特に、プラズマディスプレイパネルの大画面化に伴い、Ｘ電極およびＹ電極用のフレキシブル基板を分離化する場合に有効である。
【図面の簡単な説明】
【００６０】
【図１】本発明の一実施の形態のプラズマディスプレイ装置の概略構成を示す図である。
【図２】本発明の一実施の形態のプラズマディスプレイ装置において、プラズマディスプレイパネルとＸ電極駆動回路およびＹ電極駆動回路との間の接続形態を示す図である。
【図３】本発明の一実施の形態のプラズマディスプレイ装置において、プラズマディスプレイパネルの、上部を経由してきた電流経路と下部を経由してきた電流経路とを中央部の電極付近で導通させる場合の接続形態を示す図である。
【図４】本発明の一実施の形態のプラズマディスプレイ装置において、多層基板の隣接層を用いて一対の電流経路を接近させて配置する場合の接続形態を示す図である。
【図５】本発明の一実施の形態のプラズマディスプレイ装置において、異種基板を張り合わせて構成して一対の電流経路を接近させて配置する場合の接続形態を示す図である。
【図６】本発明の一実施の形態のプラズマディスプレイ装置において、折り返したＵ字形状のプラズマディスプレイパネル側の接続部をプラズマディスプレイパネルの端面部で接続した共通電極部で代用する場合の接続形態を示す図である。
【図７】本発明の一実施の形態のプラズマディスプレイ装置において、奇数／偶数の分離構成によるプラズマディスプレイパネルとＸ電極駆動回路およびＹ電極駆動回路との間の接続形態を示す図である。
【図８】本発明の一実施の形態のプラズマディスプレイ装置において、Ｘ電極駆動回路の出力部の上部用／下部用の分離構成による上部を経由してきた電流経路と下部を経由してきた電流経路とを中央部の電極付近で導通させる場合の接続形態を示す図である。
【図９】本発明の一実施の形態のプラズマディスプレイ装置において、Ｘ電極パターンによる電流経路、Ｙ電極パターンによる電流経路を、プラズマディスプレイパネルの周辺部で折り返したＵ字形状とした場合の寄生インダクタンス分布（ａ）と輝度分布（ｂ）を示す図である。
【図１０】本発明の一実施の形態のプラズマディスプレイ装置において、折り返したＵ字形状となる一対の電流経路を電磁誘導が発生する距離まで接近させて平行に配置した場合の寄生インダクタンス分布（ａ）と輝度分布（ｂ）を示す図である。
【図１１】本発明の一実施の形態のプラズマディスプレイ装置において、フレキシブル基板を離散接続した場合の寄生インダクタンス分布（ａ）と輝度分布（ｂ）を示す図である。
【図１２】本発明の前提として検討した従来のプラズマディスプレイ装置の概略構成を示す図である。
【図１３】本発明の前提として検討した従来のプラズマディスプレイ装置において、プラズマディスプレイパネルとＸ電極駆動回路との間の接続形態を示す図である。
【図１４】本発明の前提として検討した従来のプラズマディスプレイ装置において、プラズマディスプレイパネルとＸ電極駆動回路との間の接続部における寄生インダクタンス分布を示す図である。
【図１５】本発明の前提として検討した従来のプラズマディスプレイ装置において、プラズマディスプレイパネルとＸ電極駆動回路との間の接続部における等価回路を示す図である。
【図１６】本発明の前提として検討した従来のプラズマディスプレイ装置において、プラズマディスプレイパネルとＸ電極駆動回路との間の接続部における駆動波形を示す図である。
【図１７】本発明の前提として検討した従来のプラズマディスプレイ装置において、プラズマディスプレイパネルとＸ電極駆動回路との間の接続部における寄生インダクタンス分布（ａ）と輝度分布（ｂ）を示す図である。
【図１８】本発明の前提として検討した従来のプラズマディスプレイ装置において、フレキシブル基板を離散接続した場合の寄生インダクタンス分布（ａ）と輝度分布（ｂ）を示す図である。
【符号の説明】
【００６１】
１０，１１０…プラズマディスプレイパネル、１１…共通電極部、２０，２０ａ〜２０ｃ，１２０…Ｘ電極駆動回路、３０，３０ａ，３０ｂ，１３０…Ｙ電極駆動回路、４０，１４０…アドレス電極駆動回路、５０，１５０…スキャン回路、６０，７０，１６０，１７０…接続手段、６１，６１ａ〜６１ｇ，７１，７１ａ，１６１…プリント基板、６２，６２ａ〜６２ｃ，７２，７２ａ，１６２…フレキシブル基板、６３，６４，７３，７４，１６３，１６４…コネクタ、６５，６５ａ〜６５ｋ，１６５…Ｘ電極パターン、６６，６６ａ〜６６ｆ，７６，７６ａ，７６ｂ…切り込み、６７…コネクタ、６８…スルーホール、６８ａ…導電用ランド、６９…半導体素子、７５，７５ａ，７５ｂ…Ｙ電極パターン、７７…配線パターン。
【図１】
2006317767.tif 000003
【図２】
2006317767.tif 000004
【図３】
2006317767.tif 000005
【図４】
2006317767.tif 000006
【図５】
2006317767.tif 000007
【図６】
2006317767.tif 000008
【図７】
2006317767.tif 000009
【図８】
2006317767.tif 000010
【図９】
2006317767.tif 000011
【図１０】
2006317767.tif 000012
【図１１】
2006317767.tif 000013
【図１２】
2006317767.tif 000014
【図１３】
2006317767.tif 000015
【図１４】
2006317767.tif 000016
【図１５】
2006317767.tif 000017
【図１６】
2006317767.tif 000018
【図１７】
2006317767.tif 000019
【図１８】
2006317767.tif 000020